(57)【要約】【課題】比較的少ないレンズ枚数で、レンズ全長を小さく抑えつつ、９０°以上の広い画角を確保することができるようにした広角撮像レンズを提供する。【解決手段】物体側から順に、負の屈折力を有する第１レンズＧ１と、物体側に凸面を向けた正の屈折力を有する第２レンズＧ２と、絞りＳｔと、像側に凸面を向けた正の屈折力を有する第３レンズＧ３と、物体側に凸面を向けた正の屈折力を有する第４レンズＧ４とを備え、以下の条件式を満足する。ただし、Ｎ２は第２レンズＧ２のｄ線に対する屈折率、Ｎ３は第３レンズＧ３のｄ線に対する屈折率、Ｎ４は第４レンズＧ４のｄ線に対する屈折率とする。  Ｎ２≧１．７  ……（１）  Ｎ３≧１．７  ……（２）  Ｎ４≧１．７  ……（３）【選択図】図１
2007322656.tif 000002
【特許請求の範囲】
【請求項１】
物体側から順に、負の屈折力を有する第１レンズと、物体側に凸面を向けた正の屈折力を有する第２レンズと、絞りと、像側に凸面を向けた正の屈折力を有する第３レンズと、物体側に凸面を向けた正の屈折力を有する第４レンズとを備え、
下記条件式を満足する  
ことを特徴とする広角撮像レンズ。
Ｎ２≧１．７                      ……（１）
Ｎ３≧１．７                      ……（２）
Ｎ４≧１．７                      ……（３）
ただし、
Ｎ２：第２レンズのｄ線に対する屈折率
Ｎ３：第３レンズのｄ線に対する屈折率
Ｎ４：第４レンズのｄ線に対する屈折率
とする。
【請求項２】
前記第３レンズは像側に凸面を向けた正のメニスカスレンズであり、前記第４レンズは物体側に凸面を向けた正のメニスカスレンズである
ことを特徴とする請求項１記載の広角撮像レンズ。
【請求項３】
さらに、下記条件式を満足する
ことを特徴とする請求項１または２に記載の広角撮像レンズ。
０．０３＜Ｄ２３／ｆ＜０．２２    ……（４）
ただし、
Ｄ２３：第２レンズと第３レンズとの間の空気間隔
とする。
【請求項４】
さらに、下記条件式を満足する
ことを特徴とする請求項１ないし３のいずれか１項に記載の広角撮像レンズ。
０．１８＜ｆ／ｆ３＜０．４６      ……（５）
０．２７＜ｆ／ｆ４＜０．５８      ……（６）
−０．４４＜ｆ／Ｒ１＜０．１１    ……（７）
ただし、
ｆ：全系の焦点距離
ｆ３：第３レンズの焦点距離
ｆ４：第４レンズの焦点距離
Ｒ１：第１レンズの物体側の曲率半径
とする。
【請求項５】
前記第１レンズ、前記第２レンズ、前記第３レンズおよび前記第４レンズの全てがガラスレンズである
ことを特徴とする請求項１ないし４のいずれか１項に記載の広角撮像レンズ。
【発明の詳細な説明】
【技術分野】
【０００１】
本発明は、監視用カメラや車載用カメラ等の小型の撮像装置に適した広角撮像レンズに関する。
【背景技術】
【０００２】
近年、ＣＣＤ（Charge Coupled Device ）やＣＭＯＳ（Complementary Metal Oxide Semiconductor ）等の撮像素子を用いたデジタルスチルカメラやビデオカメラ等の撮像装置が普及しており、高性能化、および小型化に対する要求が強まっている。さらに、車載用や監視用のカメラに搭載されるレンズには、広い範囲を観察するために広画角化への要求がある。また、低価格化への要求もある。さらに、それらのレンズには、設置場所や使用環境等の制約から、使用時の温度変化に影響されにくいこと（温度によるピント位置の変化等、光学性能の変化が小さいこと）等が求められる。
【０００３】
特許文献１ないし３には、監視用カメラ等に搭載されるレンズとして、４群４枚と比較的少ない枚数で構成されたレンズが開示されている。これらの文献に記載のレンズでは、最も物体側に負の屈折力の第１レンズを先行配置してレトロフォーカス型の構成とすることで、ローパスフィルタや赤外カットフィルタ等を配置するための比較的長いバックフォーカスを確保している。より具体的には特許文献１，２に記載のレンズは、物体側から順に、負・正・正・負のレンズを配置した構成となっている。特許文献３に記載のレンズは、物体側から順に、負・正・正・正のレンズを配置した構成となっている。特許文献３には、第３レンズおよび第４レンズにプラスチックレンズを使用し、第３レンズおよび第４レンズを構成する面の少なくとも１面を非球面形状にした構成例が記載されている。
【特許文献１】特開平５−２６４８９５号公報
【特許文献２】特開平１０−３９２０７号公報
【特許文献３】特許第３４３７００４号公報
【発明の開示】
【発明が解決しようとする課題】
【０００４】
しかしながら、特許文献３に記載のレンズのようにプラスチックレンズを使用すると、使用時の温度変動（温度によるピント位置の変化等の光学性能の変化）や、保存時の環境による悪影響（高温状態で荷重をかけると形状が変化するおそれがある）等の問題が生ずる。これら使用時の温度変動や保存時の環境等を考慮すると、ガラスレンズを使用するのが望ましい。ただし、特許文献３に記載のレンズのように非球面を用いる場合には、ガラスモールド非球面レンズを使用することになり、高価になってしまう。特許文献１，２に記載のレンズは、ガラスの球面レンズのみを使用しているので、ガラスモールド非球面レンズを使用する場合に比べて低価格化が図られている。しかしながら、特許文献１，２に記載のレンズでは、バックフォーカスを十分に長くすることを目的の１つとしているため、小型化の点で不利である。特に、特許文献１に記載のレンズについては画角が９０°近く確保されているもののレンズ全長が大きいため小型化には適していない。特許文献２に記載のレンズは、比較的レンズ全長が小さいものの画角が約６０°程度と広画角化の点で不十分である。また、特許文献３に記載のレンズは、上述のレンズ材料の問題がある他、画角が約６４°程度と広画角化の点で不十分である。さらに、特許文献１ないし３に記載のレンズは、第２レンズと第３レンズとの間の間隔が比較的広く、この点でも小型化に不利な構成となっている。
【０００５】
本発明はかかる問題点に鑑みてなされたもので、その目的は、比較的少ないレンズ枚数で、レンズ全長を小さく抑えつつ、９０°以上（例えば１００°前後）の広い画角を確保することができるようにした広角撮像レンズを提供することにある。
【課題を解決するための手段】
【０００６】
本発明による広角撮像レンズは、物体側から順に、負の屈折力を有する第１レンズと、物体側に凸面を向けた正の屈折力を有する第２レンズと、絞りと、像側に凸面を向けた正の屈折力を有する第３レンズと、物体側に凸面を向けた正の屈折力を有する第４レンズとを備え、下記条件式を満足するものである。ただし、Ｎ２は第２レンズのｄ線に対する屈折率、Ｎ３は第３レンズのｄ線に対する屈折率、Ｎ４は第４レンズのｄ線に対する屈折率とする。
Ｎ２≧１．７                  ……（１）
Ｎ３≧１．７                  ……（２）
Ｎ４≧１．７                  ……（３）
【０００７】
本発明による広角撮像レンズでは、４群４枚という比較的少ないレンズ枚数で、全体のパワー配置とレンズ材料とが最適化され、小型化と広画角化とが実現される。特に、最も物体側の第１レンズが負レンズであることで、広画角化に有利となり、続く第２レンズないし第４レンズを全て正レンズとしたことで、レンズ全長が抑えられ小型化に有利となる。また、条件式（１）〜（３）を満足することで広画角化に有利となると共に、例えば各レンズをガラス球面レンズにするような安価な構成にしやすくなる。
そして、本発明による広角撮像レンズではさらに、要求される仕様等に応じて次の好ましい条件を適宜採用して満足することで、小型化および広画角化をより満足しやすくなる。
【０００８】
本発明による広角撮像レンズにおいて、第３レンズを像側に凸面を向けた正のメニスカスレンズとし、第４レンズを物体側に凸面を向けた正のメニスカスレンズとすることが好ましい。これにより、像面湾曲等の補正に有利となる。
【０００９】
また、下記条件式（４）を満足することが望ましい。これにより、第２レンズと第３レンズとの間の間隔が最適化され、諸収差の補正に有利になると共に、レンズ全長の短縮化に有利となる。ただし、Ｄ２３は第２レンズと第３レンズとの間の空気間隔とする。
０．０３＜Ｄ２３／ｆ＜０．２２  ……（４）
【００１０】
また、下記条件式（５）〜（７）を満足することが望ましい。これにより、第３レンズおよび第４レンズの屈折力が最適化されると共に、第１レンズの形状が最適化され、諸収差が良好に補正される。ただし、ｆは全系の焦点距離、ｆ３は第３レンズの焦点距離、ｆ４は第４レンズの焦点距離、Ｒ１は第１レンズの物体側の曲率半径とする。
０．１８＜ｆ／ｆ３＜０．４６    ……（５）
０．２７＜ｆ／ｆ４＜０．５８    ……（６）
−０．４４＜ｆ／Ｒ１＜０．１１  ……（７）
【００１１】
また、本発明による広角撮像レンズにおいて、第１レンズ、第２レンズ、第３レンズおよび第４レンズは全てガラスレンズであることが望ましい。これにより、プラチックレンズを用いた場合に比べて使用時の温度変動や保存時の環境に影響を受けにくくなり、車載用や監視用のカメラへの搭載に適した性能が得られる。また特に、構成を安価なものとするために、各レンズをガラスの球面レンズとすることが好ましい。ガラスの球面レンズのみを使用することで、ガラスモールド非球面レンズを使用する場合に比べて低価格化に有利となる。
【発明の効果】
【００１２】
本発明の広角撮像レンズによれば、４群４枚という比較的少ないレンズ枚数で、全体のパワー配置とレンズ材料とを最適化するようにしたので、比較的少ないレンズ枚数で、レンズ全長を小さく抑えつつ、９０°以上の広い画角を確保することができる。
特に、各レンズをガラスの球面レンズで構成した場合には、ガラスモールド非球面レンズを使用する場合に比べて低価格化に有利となると共に、使用時の温度変動や保存時の環境に影響を受けにくくなり、車載用や監視用のカメラへの搭載に適した性能を得ることができる。
【発明を実施するための最良の形態】
【００１３】
以下、本発明の実施の形態について図面を参照して詳細に説明する。
【００１４】
図１〜図３は、本発明の一実施の形態に係る広角撮像レンズの第１〜第３の構成例を示している。図１〜図３において、符号Ｒｉは、絞りＳｔも含めて最も物体側の構成要素の面を１番目として、像側（結像側）に向かうに従い順次増加するｉ番目（ｉ＝１〜１１）の構成要素の面の曲率半径を示し、符号Ｄｉは、ｉ番目の面とｉ＋１番目の面との光軸上の面間隔を示している。
【００１５】
この広角撮像レンズは、ＣＣＤやＣＭＯＳ等の撮像素子を用いた撮像装置、特に車載用カメラや監視用カメラ等に搭載して好適なものであり、光軸Ｚ１に沿って、物体側より順に、第１レンズＧ１、第２レンズＧ２、光学的な開口絞り（明るさ絞り）Ｓｔ、第３レンズＧ３および第４レンズＧ４を備えている。なお、結像面には、図示しないＣＣＤまたはＣＭＯＳ等の撮像素子が配置される。また、第４レンズＧ４と撮像素子との間には、レンズを装着するカメラ側の構成に応じて、撮像面を保護するためのカバーガラスや赤外線カットフィルタ等の平板状の光学部材ＣＧが配置される。
【００１６】
第１レンズＧ１は、負の屈折力（パワー）を有している。この第１レンズＧ１は、第１の構成例では両凹形状となっており、第２の構成例では、物体側に凹面を向けた負のメニスカス形状、第３の構成例では、物体側に凸面を向けた負のメニスカス形状となっている。第２レンズＧ２は、正の屈折力を有している。この第２レンズＧ２は、第１の構成例では両凸形状となっており、第２，第３の構成例では、物体側に凸面を向けた正のメニスカス形状となっている。
【００１７】
第３レンズＧ３は、正の屈折力を有している。この第３レンズＧ３は、物体側に凹面を向けた正のメニスカスレンズであることが好ましい。第４レンズＧ４は、正の屈折力を有している。この第４レンズＧ４は、物体側に凸面を向けた正のメニスカスレンズであることが好ましい。
【００１８】
この広角撮像レンズは、以下の条件式を満足している。ただし、Ｎ２は第２レンズＧ２のｄ線に対する屈折率、Ｎ３は第３レンズＧ３のｄ線に対する屈折率、Ｎ４は第４レンズＧ４のｄ線に対する屈折率とする。
Ｎ２≧１．７                ……（１）
Ｎ３≧１．７                ……（２）
Ｎ４≧１．７                ……（３）
【００１９】
さらに、この広角撮像レンズは、第１レンズＧ１、第２レンズＧ２、第３レンズＧ３および第４レンズＧ４の全てがガラスで構成されていることが望ましい。また特に、構成を安価なものにする場合には、各レンズをガラスの球面レンズとすることが好ましい。
【００２０】
また、この広角撮像レンズは、下記条件式（４）を満足することが望ましい。ただし、Ｄ２３は第２レンズＧ２と第３レンズＧ３との間の空気間隔とする。
０．０３＜Ｄ２３／ｆ＜０．２２  ……（４）
【００２１】
また、この広角撮像レンズは、下記条件式を（５）〜（７）満足することが望ましい。ただし、ｆは全系の焦点距離、ｆ３は第３レンズＧ３の焦点距離、ｆ４は第４レンズＧ４の焦点距離、Ｒ１は第１レンズＧ１の物体側の曲率半径とする。
０．１８＜ｆ／ｆ３＜０．４６    ……（５）
０．２７＜ｆ／ｆ４＜０．５８    ……（６）
−０．４４＜ｆ／Ｒ１＜０．１１  ……（７）
【００２２】
次に、以上のような構成の広角撮像レンズの作用および効果について説明する。
【００２３】
この広角撮像レンズでは、４群４枚という比較的少ないレンズ枚数で、全体のパワー配置とレンズ材料とを最適化したことで、小型化と広画角化とが実現される。特に、最も物体側の第１レンズＧ１が負の屈折力を有していることにより、広角化に有利となる。また、続く第２レンズＧ２、第３レンズＧ３および第４レンズＧ４が正の屈折力を有していることにより、レンズ全長が抑えられ、小型化に有利となる。また、第３レンズＧ３を像側に凸面を向けた正のメニスカスレンズとし、第４レンズＧ４を物体側に凸面を向けた正のメニスカスレンズとすることで、像面湾曲等の諸収差の補正に有利となる。
【００２４】
この広角撮像レンズでは、条件式（１）〜（３）を満足することで、第２レンズＧ２、第３レンズＧ３および第４レンズＧ４のレンズ材料が最適化され、広画角化に有利となると共に、例えば各レンズをガラス球面レンズにするような安価な構成にしやすくなる。条件式（１）〜（３）の範囲を外れると、例えば各レンズをガラス球面レンズにした場合に小型化と広画角化とを同時に満足することが難しくなる。ここで、第１レンズＧ１、第２レンズＧ２、第３レンズＧ３および第４レンズＧ４の全てを、ガラスレンズで構成するようにすれば、特に車載用カメラ等の撮像装置に搭載される場合に有利となる。各レンズにガラスレンズを用いることにより、プラスチックレンズを用いる場合に比べて、使用時や保存時の温度変化が激しい環境下においても、ピント位置の変動、光学性能の劣化、あるいは荷重による変形等が生じにくくなるためである。なお、レンズの面形状は、球面、非球面を問わない。いずれの構成であっても十分に良好な性能を得ることができるためである。ただし、各レンズの全ての面を球面で構成するようにすれば、製造性やコスト低減の面で有利となるので好ましい。
【００２５】
また、この広角撮像レンズでは、条件式（４）を満足することで、第２レンズＧ２と第３レンズＧ３の間の空気間隔が最適化され、諸収差の補正に有利になると共に、レンズ全長の短縮化に有利となる。条件式（４）の数値範囲を上回ると、コマ収差の補正が不十分となり、下回ると、球面収差の補正が不十分となるので好ましくない。
【００２６】
さらに、条件式（５）〜（７）を満足することで、各レンズの屈折力および形状の最適化が図られる。これにより、諸収差が良好に補正され、より小型化と広画角化とを実現しやすくなる。条件式（５）は、第３レンズＧ３の焦点距離に関するもので、この数値範囲を上回ると球面収差の補正が不十分となり、下回ると像面湾曲の補正が不十分となり好ましくない。条件式（６）は、第４レンズＧ４の焦点距離に関するもので、この数値範囲を上回ると歪曲収差の補正が不十分となり、下回るとコマ収差の補正が不十分となるため好ましくない。条件式（７）は、第１レンズＧ１の物体側の曲率半径に関するもので、この数値範囲を上回ると球面収差の補正が不十分となり、下回ると像面湾曲の補正が不十分となり好ましくない。
【００２７】
このように、本実施の形態に係る広角撮像レンズによれば、４群４枚という比較的少ないレンズ枚数で、全体のパワー配置とレンズ材料とを最適化するようにしたので、比較的少ないレンズ枚数で、レンズ全長を小さく抑えつつ、９０°以上（例えば１００°前後）の広い画角を確保することができる。これにより、小型で高性能の撮像装置、特に車載用や監視用のカメラに好適な性能を得ることが可能となる。
【実施例】
【００２８】
次に、本実施の形態に係る広角撮像レンズの具体的な数値実施例１〜１０について、実施例１を基本にしてまとめて説明する。
【００２９】
実施例１として、図１に示した広角撮像レンズの構成に対応する基本的なレンズデータを、図４に示す。図４に示したレンズデータにおける面番号Ｓｉの欄には、絞りＳｔも含めて、最も物体側の構成要素の面を１番目として、像側に向かうに従い順次増加する構成要素の面の番号を示している。曲率半径Ｒｉの欄には、図１に示した符号Ｒｉに対応させて、物体側からｉ番目の構成要素の面の曲率半径の値（ｍｍ）を示す。面間隔Ｄｉの欄についても、図１に示した符号に対応させて、物体側からｉ番目の面Ｓｉとｉ＋１番目の面Ｓｉ＋１との光軸上の間隔（ｍｍ）を示す。屈折率Ｎdjの欄には、物体側からj 番目（j ＝１〜５）の光学要素のｄ線（波長５８７．６ｎｍ）に対する屈折率の値を示す。νdjの欄には、物体側からj 番目の光学要素のｄ線に対するアッベ数の値を示す。
【００３０】
上記実施例１と同様にして、実施例２〜１０に係る広角撮像レンズの基本的なレンズデータを図５〜図１３に示す。図８に示した実施例５に係る広角撮像レンズは、図２に示した第２の構成例に対応している。この実施例５に係る広角撮像レンズでは、第１レンズＧ１が物体側に凹面を向けた負のメニスカス形状となっており、第２レンズＧ２が物体側に凸面を向けた正のメニスカス形状となっている。図１３に示した実施例１０に係る広角撮像レンズは、図３に示した第３の構成例に対応している。この実施例１０に係る広角撮像レンズでは、第１レンズＧ１が物体側に凸面を向けた負のメニスカス形状となっており、第２レンズＧ２が物体側に凸面を向けた正のメニスカス形状となっている。
【００３１】
その他の実施例（実施例２〜４および実施例６〜９）に係る広角撮像レンズの基本構成は、実施例１に係る広角撮像レンズに類似している。なお、実施例１に係る広角撮像レンズでは、第２レンズＧ２が両凸形状となっているが、実施例３、実施例４、実施例６、および実施例７に係る広角撮像レンズでは、第２レンズＧ２が物体側に凸面を向けた正のメニスカス形状となっている。
【００３２】
なお、実施例１〜１０のいずれにおいても、第１レンズＧ１、第２レンズＧ２、第３レンズＧ３および第４レンズＧ４の全てが、ガラスレンズで構成されており、かつ全ての面が球面形状となっている。
【００３３】
図１４は、各実施例における上述の各条件式に対応する値を示したものであり、図１５は、全系の焦点距離ｆ（ｍｍ）、Ｆナンバー（ＦＮＯ．）および画角２ω（°）について示したものである。図１４に示したように、各実施例の値が、各条件式の範囲内となっており、図１５に示したように、各実施例において、１００°前後の広画角が確保されている。
【００３４】
図１６（Ａ）〜図１６（Ｃ）は、実施例１の広角撮像レンズについての諸収差を示している。具体的には、図１６（Ａ）は球面収差、図１６（Ｂ）は非点収差、図１６（Ｃ）はディストーション（歪曲収差）を示している。各収差図には、ｅ線（波長５４６．１ｎｍ）を基準波長とした収差を示す。球面収差図には、ｇ線（波長４３５．８ｎｍ）、Ｃ線  （波長６５６．３ｎｍ）についての収差も示す。非点収差図では、実線はサジタル方向、破線はタンジェンシャル方向の収差を示す。ＦＮＯ．はＦ値、ωは半画角を示す。
【００３５】
同様に、実施例２の広角撮像レンズについての諸収差を図１７（Ａ）〜図１７（Ｃ）、実施例３の広角撮像レンズについての諸収差を図１８（Ａ）〜図１８（Ｃ）、実施例４の広角撮像レンズについての諸収差を図１９（Ａ）〜図１９（Ｃ）、実施例５の広角撮像レンズについての諸収差を図２０（Ａ）〜図２０（Ｃ）、実施例６の広角撮像レンズについての諸収差を図２１（Ａ）〜図２１（Ｃ）、実施例７の広角撮像レンズについての諸収差を図２２（Ａ）〜図２２（Ｃ）、実施例８の広角撮像レンズについての諸収差を図２３  （Ａ）〜図２３（Ｃ）、実施例９の広角撮像レンズについての諸収差を図２４（Ａ）〜図２４（Ｃ）、実施例１０の広角撮像レンズについての諸収差を図２５（Ａ）〜図２５（Ｃ）に示す。
【００３６】
以上のレンズデータおよび収差図からわかるように、各実施例について、全体として４群４枚のレンズ構成で、レンズの形状や屈折力、およびレンズ材料を最適化することにより、画角が１００°前後確保された小型で高性能の広角レンズ系を実現できている。
【００３７】
なお、本発明は、上記実施の形態および各実施例に限定されず種々の変形実施が可能である。例えば、各レンズ成分の曲率半径Ｒ、面間隔Ｄおよび屈折率Ｎおよびアッベ数νの値などは、上記各数値実施例で示した値に限定されず、他の値をとり得る。
【図面の簡単な説明】
【００３８】
【図１】本発明の実施例１に係る広角レンズに対応するレンズ断面図である。
【図２】本発明の実施例５に係る広角レンズに対応するレンズ断面図である。
【図３】本発明の実施例１０に係る広角レンズに対応するレンズ断面図である。
【図４】本発明の実施例１に係る広角レンズの基本レンズデータを示す図である。
【図５】本発明の実施例２に係る広角レンズの基本レンズデータを示す図である。
【図６】本発明の実施例３に係る広角レンズの基本レンズデータを示す図である。
【図７】本発明の実施例４に係る広角レンズの基本レンズデータを示す図である。
【図８】本発明の実施例５に係る広角レンズの基本レンズデータを示す図である。
【図９】本発明の実施例６に係る広角レンズの基本レンズデータを示す図である。
【図１０】本発明の実施例７に係る広角レンズの基本レンズデータを示す図である。
【図１１】本発明の実施例８に係る広角レンズの基本レンズデータを示す図である。
【図１２】本発明の実施例９に係る広角レンズの基本レンズデータを示す図である。
【図１３】本発明の実施例１０に係る広角レンズの基本レンズデータを示す図である。
【図１４】各実施例における条件式に関する値を示す図である。
【図１５】各実施例における、全系の焦点距離、Ｆナンバーおよび画角について示す図である。
【図１６】本発明の実施例１に係る広角レンズの諸収差を示す図であり、（Ａ）は球面収差、（Ｂ）は非点収差、（Ｃ）はディストーションを示す。
【図１７】本発明の実施例２に係る広角レンズの諸収差を示す図であり、（Ａ）は球面収差、（Ｂ）は非点収差、（Ｃ）はディストーションを示す。
【図１８】本発明の実施例３に係る広角レンズの諸収差を示す図であり、（Ａ）は球面収差、（Ｂ）は非点収差、（Ｃ）はディストーションを示す。
【図１９】本発明の実施例４に係る広角レンズの諸収差を示す図であり、（Ａ）は球面収差、（Ｂ）は非点収差、（Ｃ）はディストーションを示す。
【図２０】本発明の実施例５に係る広角レンズの諸収差を示す図であり、（Ａ）は球面収差、（Ｂ）は非点収差、（Ｃ）はディストーションを示す。
【図２１】本発明の実施例６に係る広角レンズの諸収差を示す図であり、（Ａ）は球面収差、（Ｂ）は非点収差、（Ｃ）はディストーションを示す。
【図２２】本発明の実施例７に係る広角レンズの諸収差を示す図であり、（Ａ）は球面収差、（Ｂ）は非点収差、（Ｃ）はディストーションを示す。
【図２３】本発明の実施例８に係る広角レンズの諸収差を示す図であり、（Ａ）は球面収差、（Ｂ）は非点収差、（Ｃ）はディストーションを示す。
【図２４】本発明の実施例９に係る広角レンズの諸収差を示す図であり、（Ａ）は球面収差、（Ｂ）は非点収差、（Ｃ）はディストーションを示す。
【図２５】本発明の実施例１０に係る広角レンズの諸収差を示す図であり、（Ａ）は球面収差、（Ｂ）は非点収差、（Ｃ）はディストーションを示す。
【符号の説明】
【００３９】
Ｇ１〜Ｇ４…第１〜第４レンズ、Ｓｔ…絞り、ＣＧ…光学部材、Ｚ１…光軸。
【図１】
2007322656.tif 000003
【図２】
2007322656.tif 000004
【図３】
2007322656.tif 000005
【図４】
2007322656.tif 000006
【図５】
2007322656.tif 000007
【図６】
2007322656.tif 000008
【図７】
2007322656.tif 000009
【図８】
2007322656.tif 000010
【図９】
2007322656.tif 000011
【図１０】
2007322656.tif 000012
【図１１】
2007322656.tif 000013
【図１２】
2007322656.tif 000014
【図１３】
2007322656.tif 000015
【図１４】
2007322656.tif 000016
【図１５】
2007322656.tif 000017
【図１６】
2007322656.tif 000018
【図１７】
2007322656.tif 000019
【図１８】
2007322656.tif 000020
【図１９】
2007322656.tif 000021
【図２０】
2007322656.tif 000022
【図２１】
2007322656.tif 000023
【図２２】
2007322656.tif 000024
【図２３】
2007322656.tif 000025
【図２４】
2007322656.tif 000026
【図２５】
2007322656.tif 000027